(57)【特許請求の範囲】
【請求項１】
壁に挿通される筒体を有し、フランジ部を室内側の壁面に接触させて取り付けられる取付枠と、
前記筒体内に回動自在に配設され、前記筒体を開閉する複数枚のシャッタと、
これらシャッタを操作レバーのスライド移動により上下動する連結レバーを介して開閉させるもので、前記連結レバーを上部位置に上昇させることにより前記シャッタを強制的に常時開放される全開状態とし、前記連結レバーを下部位置に下降させることにより前記シャッタを強制的に常時閉塞される全閉状態とし、前記連結レバーを上部位置と下部位置との間の中間位置に移動させることにより、前記シャッタを室内外に圧力差があると開き、圧力差がないと閉じる開状態とする操作手段とを具備し、
前記連結レバーは、前記シャッタの全開、及び全閉状態時には前記シャッタに連結され、前記シャッタの開状態時には、前記シャッタとの連結が解除されることを特徴とする自然給気口装置。
【発明の詳細な説明】
【技術分野】
【０００１】
本発明は、建物の壁等に設置され、換気扇等の排気により発生する室内外の圧力差に反応して給気を行なう差圧式の自然給気口装置に関する。
【背景技術】
【０００２】
この種の自然給気口装置には、壁に埋設されたダクト内に挿入される筒体を有し、フランジ部を室内側の壁面に接触させて取り付けられる取付枠と、筒体内に回動自在に配設され、筒体を開閉するシャッタと、このシャッタを操作レバーの回動により連結棒を上下動させることにより開閉させる操作手段とを具備してなるものがある。
【０００３】
この自然給気口装置では、連結棒を上部位置に上昇させることによりシャッタを強制的に常時開放させる全開状態とし、連結棒を下部位置に下降させることによりシャッタを強制的に常時閉塞させる全閉状態とし、連結棒を上部位置と下部位置との間の中間位置に移動させることにより、室内外に圧力差があると開き、圧力差がないと閉じる開状態としている（例えば、特許文献１参照。）。
【先行技術文献】
【特許文献】
【０００４】
【特許文献１】特開２０００−１０４９８８号公報
【発明の概要】
【発明が解決しようとする課題】
【０００５】
しかしながら、上記した公知例では、シャッタと連結棒が常に連結され、両者は連動して動作する。このため、通常の圧力差によるシャッタの開閉動作がスムーズに行なえず、特に、長期間の使用により連結部分に埃や汚れなどが付着した場合には、シャッタの動きが重くなり、換気機能が損なわれてしまうという不都合があった。
【０００６】
本発明は上記事情に着目してなされたもので、その目的とするところは、通常の圧力差によるシャッタの開閉動作がスムーズに行え、シャッタと連結レバーの連結部に埃や汚れなどが付着しても、シャッタの動きが重くなることがなく、換気機能を良好に維持できるようにした差圧式の自然給気口装置を提供することにある。
【課題を解決するための手段】
【０００７】
上記の課題を解決するために、本発明は、壁に挿通される筒体を有し、フランジ部を室内側の壁面に接触させて取り付けられる取付枠と、前記筒体内に回動自在に配設され、前記筒体を開閉する複数枚のシャッタと、これらシャッタを操作レバーのスライド移動により上下動する連結レバーを介して開閉させるもので、前記連結レバーを上部位置に上昇させることにより前記シャッタを強制的に常時開放される全開状態とし、前記連結レバーを下部位置に下降させることにより前記シャッタを強制的に常時閉塞される全閉状態とし、前記連結レバーを上部位置と下部位置との間の中間位置に移動させることにより、前記シャッタを室内外に圧力差があると開き、圧力差がないと閉じる開状態とする操作手段とを具備し、前記連結レバーは、前記シャッタの全開、及び全閉状態時には前記シャッタに連結され、前記シャッタの開状態時には、前記シャッタとの連結が解除されることを特徴とする。
【発明の効果】
【０００８】
本発明によれば、通常の圧力差によるシャッタの開閉動作がスムーズに行え、シャッタと連結レバーの連結部に埃や汚れなどが付着しても、シャッタの動きが重くなることがなく、換気機能を良好に維持できる。
【図面の簡単な説明】
【０００９】
【図１】本発明の一実施の形態である差圧式の自然給気口装置を示す外観斜視図。
【図２】図１の自然給気口装置のパネルを取り外した状態を示す外観斜視図。
【図３】図２の自然給気口装置の操作レバーを示す斜視図。
【図４】図２の自然給気口装置の連結レバーを示す斜視図。
【図５】図２の自然給気口装置の上段のシャッタを示す斜視図。
【図６】図２の自然給気口装置の中段のシャッタを示す斜視図。
【図７】図２の自然給気口装置の下段のシャッタを示す斜視図。
【図８】図２の自然給気口装置のシャッタを強制的に全開状態にする動作を示す側断面図。
【図９】図２の自然給気口装置のシャッタを強制的に全開状態にする動作を示す断面斜視図。
【図１０】図２の自然給気口装置のシャッタを強制的に全開状態にする動作を示す要部斜視図。
【図１１】図２の自然給気口装置のシャッタを強制的に全閉状態にする動作を示す側断面図。
【図１２】図２の自然給気口装置のシャッタを強制的に全閉状態にする動作を示す断面斜視図。
【図１３】図２の自然給気口装置のシャッタを強制的に全閉状態にする動作を示す要部斜視図。
【図１４】図２の自然給気口装置のシャッタを開状態にする動作を示す側断面図。
【図１５】図２の自然給気口装置のシャッタを開状態にする動作を示す断面斜視図。
【図１６】図２の自然給気口装置のシャッタを開状態にする動作を示す要部斜視図。
【発明を実施するための形態】
【００１０】
以下、本発明の実施の形態を図面を参照して詳細に説明する。
【００１１】
図１は、本発明の一実施の形態である差圧式の自然給気口装置を示す外観斜視図で、図２は、自然給気口装置からパネル部２を取り外した状態を示す外観斜視図である。
【００１２】
この自然給気口装置は取付枠１を備え、この取付枠１の中央部には筒体１ａが設けられている。自然給気口装置は壁に埋設されたダクト内に筒体１ａを挿入し、取付枠１を室内側の壁面に取り付けることにより据え付けられる。取付枠１の前面にはパネル部２が着脱自在に取り付けられている。
【００１３】
取付枠１はそのフランジ部１ｂを室内壁面に面的に圧接し、フランジ部１ｂの下部左側には突起部１ｃ、下部右側には爪１ｄを有している。フランジ部１ｂの下部側には操作レバー３、歯車５が設けられている。操作レバー３はフランジ部１ｂの突起部１ｃと爪１ｄとにより、左右方向にスライド自在に支持されている。
【００１４】
取付枠１のフランジ部１ｂの左右方向の中央部には連結レバー４が垂直方向に沿って上下動自在に設けられている。この連結レバー４と上記操作レバー３とにより操作手段が構成されている。取付枠１の筒体１ａ内には、上段、中段、下段の各シャッタ６ａ，６ｂ，６ｃが開閉自在に取り付けられ、上記操作手段により開閉されるようになっている。
【００１５】
図３は、上記した操作レバー３を示すものである。
【００１６】
操作レバー３の一端側下部には摘み部３ａ、一端側上部には歯型部３ｂが設けられ、これら摘み部３ａと歯型部３ｂとの間には操作レバー３のスライド方向に沿って長孔３ｃが形成されている。操作レバー３の歯型部３ｂには歯車５が噛み合わされ、長孔３ｃ内には突起部１ｃが挿入されるようになっている。また、操作レバー３の略中央部には略階段状をなす溝部３ｄが形成されている。
【００１７】
図４は、上記した連結レバー４を示す斜視図である。
【００１８】
連結レバー４はその前面下端部に突起部４ａを備え、この突起部４ａは図１０にも示すように操作レバー３の溝部３ｄ内にスライド自在に挿入される。突起部４ａは操作レバー３のスライド操作により、溝部３ｄに沿って上下動して連結レバー４を上下動させるようになっている。
【００１９】
また、連結レバー４の背面側には上、中，下の各アーム部８ａ，８ｂ，８ｃが一体的に形成され、これら各アーム部８ａ，８ｂ，８ｃの先端部には円弧状をなす爪部９ａ，９ｂ，９ｃがそれぞれ設けられている。
【００２０】
図５は上記した上段のシャッタ６ａ、図６は中段のシャッタ６ｂ、図７は下段のシャッタ６ｃを示す斜視図である。
【００２１】
上段、中段、下段の各シャッタ６ａ〜６ｃは、その外形状は異にするが、その上部側の両側面部には回動中心軸１１がそれぞれ突設され、さらに上部側の略中央部には凹部１２が形成されている。凹部１２の一内側面部には取付片１３が設けられ、この取付片１３の一部は凹部１２から突出されている。この取付片１３の突出部に回動中心軸１４が突設されている。
【００２２】
上記した連結レバー４は上部位置に上昇することにより、図８に示すようにその爪部９ａ〜９ｃの内面部により各シャッタ６ａ〜６ｃの回動中心軸１４を押し上げてシャッタ６ａ〜６ｃをその回動中心軸１１を中心として上方に回動させて強制的に開放させ、全開状態とするようになっている。
【００２３】
また、連結レバー４は下部位置に下降することにより、図１１に示すようにその爪部９ａ〜９ｃの先端部側により各シャッタ６ａ〜６ｃを押圧してシャッタ６ａ〜６ｃをその回動中心軸１１を中心として下方に回動させて強制的に閉塞させ、全閉状態とするようになっている。
【００２４】
さらに、連結レバー４は上部位置と下部位置との中間部に位置することにより、図１４に示すように、そのアーム部８ａ〜８ｃの爪部９ａ〜９ｃを各シャッタ６ａ〜６ｃの回動中心軸１４から下方に離間させるとともに、各シャッタ６ａ〜６ｃの凹部１２内に位置させるようになっている。これにより、連結レバー４のアーム部８ａ〜８ｃの爪部９ａ〜９ｃは各シャッタ６ａ〜６ｃの回動中心軸１４を持ち上げることもなく、また各シャッタ６ａ〜６ｃに圧接することもない状態となり、各シャッタ６ａ〜６ｃは室内外の圧力差により回動が可能な状態になる。
【００２５】
次に、上記したシャッタ６ａ〜６ｃを全開状態にするための動作を図８〜図１０に基づいて説明する。
【００２６】
この場合には、まず、操作レバー３の摘み部３ａを摘んで、操作レバー３を図１０に矢印で示すように右方向にスライド移動させる。これにより、連結レバー４の突起部４ａが操作レバー３の階段状の溝部３ｄに沿って上昇してその上段部に至ると、連結レバー４が上昇して上部位置に至る。これにより、連結レバー４のアーム部８ａ〜８ｃの爪部９ａ〜９ｃにより各シャッタ６ａ〜６ｃの回動中心軸１４が図８、図９に示すように押し上げられる。この押し上げにより、各シャッタ６ａ〜６ｃはその回動中心軸１４を中心として強制的に上方に回動されて略水平状態となり全開状態となる。
【００２７】
次に、上記したシャッタ６ａ〜６ｃを全閉状態にするための動作を第１１〜図１３に基づいて説明する。
【００２８】
この場合には、操作レバー３の摘み部３ａを摘んで図１３に矢印で示すように左方向に移動させる。これにより、連結レバー４の突起部４ａが操作レバー３の階段状の溝部３ｄに沿って下降しその下段部に至ると、連結レバー４が下降して下部位置に至る。これにより、図１１、図１２に示すように連結レバー４のアーム部８ａ〜８ｃの爪部９ａ〜９ｃの先端部側により各シャッタ６ａ〜６ｃが押圧される。この押圧により各シャッタ６ａ〜６ｃはその回動中心軸１１を中心として下方に強制的に回動されて閉塞され、全閉状態となる。
【００２９】
次に、シャッタ６ａ〜６ｃを開状態にするための動作を第１４〜図１６に基づいて説明する。
【００３０】
この場合には、操作レバー３の摘み部３ａを摘んで、左右方向の中間部にスライド移動させる。これにより、図１６に示すように連結レバー４の突起部４ａが操作レバー３の階段状の溝部３ｄに沿って移動してその中段部に位置する。これにより、連結レバー４は上部位部と下部位置との中間部に位置し、図１４に示すように、そのアーム部８ａ〜８ｃの爪部９ａ〜９ｃを各シャッタ６ａ〜６ｃの回動中心軸１４から下方に離間させるとともに、シャッタ６ａ〜６ｃの凹部１２内に位置させる。これにより、連結レバー４のアーム部８ａ〜８ｃの爪部９ａ〜９ｃはシャッタ６ａ〜６ｃの回動中心軸１４を持ち上げることもなく、またシャッタ６ａ〜６ｃに圧接することもない状態になる。即ち、シャッタ６ａ〜６ｃはフリーな状態となり、室内外に圧力差がない場合はその自重により閉じ、圧力差が発生した場合は開くことになる。
【００３１】
上記したように、この実施の形態によれば、連結レバー４とシャッタ６ａ〜６ｃとを常時連結するのではなく、強制全開、強制全閉の場合のみ連結状態とし、通常の圧力差による開閉動作時は、連結レバー４との連結状態を解除するため、シャッタ６ａ〜６ｃの開閉動作がスムーズになり、特に、連結部分が劣化したり、埃や汚れが付着してもシャッタの開閉動作に悪影響を与えることもない。
【００３２】
なお、一般的な気密性の住宅においては、差圧式給気口の他に住宅の隙間から外気が給気されることにより、室内外の圧力差が低くなり差圧式給気口から給気されなくなる。特にその隙間が換気扇の近くにある場合ショートサーキット状態となり、効率よい換気ができなくなるが、差圧式給気口に全開状態を設けるため、効率よく換気が行われる。
【符号の説明】
【００３３】
１…取付枠、１ａ…筒体、１ｂ…フランジ部、３…操作レバー（操作手段）、４…連結レバー（操作手段）、６ａ〜６ｃ…シャッタ。
【図１】
0005427489.tif 000002
【図２】
0005427489.tif 000003
【図３】
0005427489.tif 000004
【図４】
0005427489.tif 000005
【図５】
0005427489.tif 000006
【図６】
0005427489.tif 000007
【図７】
0005427489.tif 000008
【図８】
0005427489.tif 000009
【図９】
0005427489.tif 000010
【図１０】
0005427489.tif 000011
【図１１】
0005427489.tif 000012
【図１２】
0005427489.tif 000013
【図１３】
0005427489.tif 000014
【図１４】
0005427489.tif 000015
【図１５】
0005427489.tif 000016
【図１６】
0005427489.tif 000017